(57)【要約】【課題】トイレ室の床面の視認性を向上させた便器装置を提供する。【解決手段】トイレ室の床面から浮いた状態で支持される大便器と、前記大便器の上端よりも下方、かつ前記大便器の前端よりも後方において前記大便器の左右幅内に設けられ、前記大便器と前記床面との間の空間から前方に向けて光を照射し、前記床面を照らす照明部と、を備えたことを特徴とする便器装置が提供される。【選択図】図１
2018079056.tif 000002
【特許請求の範囲】
【請求項１】
トイレ室の床面から浮いた状態で支持される大便器と、
前記大便器の上端よりも下方、かつ前記大便器の前端よりも後方において前記大便器の左右幅内に設けられ、前記大便器と前記床面との間の空間から前方に向けて光を照射し、前記床面を照らす照明部と、
を備えたことを特徴とする便器装置。
【請求項２】
前記大便器は、底部から上方に向かって凹んだ凹部を有し、
前記照明部の少なくとも一部は、前記大便器の下端よりも上方に位置することを特徴とする請求項１記載の便器装置。
【請求項３】
前記照明部は、前記大便器の前記凹部から着脱できることを特徴とする請求項２記載の便器装置。
【請求項４】
前記照明部は、前記大便器の前後方向の中央よりも後方に設けられ、
前記照明部の光軸は、前記大便器の前端と前記大便器の前後方向の中央との間において前記床面と交差することを特徴とする請求項１〜３のいずれか１つに記載の便器装置。
【請求項５】
前記トイレ室に入室した人体を検知する第１検知部と、
前記大便器に設けられた機能部と、
をさらに備え、
前記照明部は、前記第１検知部の検知結果に応じて点灯及び消灯を切り替え、
前記機能部は、前記第１検知部又は前記第１検知部とは別の第２検知部による前記トイレ室に入室した人体の検知に応じて作動し、
前記照明部が点灯及び消灯を切り替える距離は、前記機能部が作動する距離よりも長いことを特徴とする請求項１〜４のいずれか１つに記載の便器装置。
【請求項６】
前記トイレ室に入室した人体を検知する検知部と、
前記大便器の上に配置され使用者の着座を可能とする第１状態と、前記大便器から上方に退避し前記大便器の上端を露呈させる第２状態と、に回動可能な便座と、
をさらに備え、
前記照明部は、前記検知部の検知結果に応じて点灯及び消灯を切り替え、
前記便座は、前記第１状態において前記大便器の一部を露呈させる開口部を有し、
前記検知部は、前記第２状態にある前記便座の前記開口部と対向する位置に配置されたことを特徴とする請求項１〜５のいずれか１つに記載の便器装置。
【発明の詳細な説明】
【技術分野】
【０００１】
本発明の態様は、一般的に、便器装置に関する。
【背景技術】
【０００２】
腰掛け式の大便器を備えた便器装置がある。便器装置は、トイレ室に設置して使用される。トイレ室では、天井面に照明を設け、天井面から下方に向けて光を照射することが一般的である。この場合、大便器で影ができるなど、床面での明るさが不足し、床面の視認性が低下してしまう可能性がある。床面での明るさが不足していると、ゴミや埃などが見え難くなり、トイレ室の清掃性の低下を招いてしまう。また、夜間使用時などにおける安全性の低下も懸念される。
【０００３】
そこで、トイレ室において、トイレ室の照明とは別に照明を設けることにより、トイレ室の清掃性や安全性を向上させることが提案されている。例えば、特許文献１には、トイレ室の足元を照らす照明装置が開示されている。また、特許文献２には、トイレ室の床面を照らし、トイレ室の掃除をしやすくする掃除用の照明装置が開示されている。
【０００４】
しかしながら、特許文献１、２では、トイレ室の一方の側壁に照明が設けられており、大便器によって光が遮られ、他方の側壁や大便器を挟んだ反対側の床面などが薄暗くなってしまう可能性がある。このように、トイレ室においては、床面の視認性において、検討の余地が残されていた。
【先行技術文献】
【特許文献】
【０００５】
【特許文献１】特許第５０２４４０２号公報
【特許文献２】特許第５０３５１８６号公報
【発明の概要】
【発明が解決しようとする課題】
【０００６】
本発明は、かかる課題の認識に基づいてなされたものであり、トイレ室の床面の視認性を向上させた便器装置を提供することを目的とする。
【課題を解決するための手段】
【０００７】
第１の発明は、トイレ室の床面から浮いた状態で支持される大便器と、前記大便器の上端よりも下方、かつ前記大便器の前端よりも後方において前記大便器の左右幅内に設けられ、前記大便器と前記床面との間の空間から前方に向けて光を照射し、前記床面を照らす照明部と、を備えたことを特徴とする便器装置である。
【０００８】
この便器装置によれば、照明部が、大便器と床面との間の空間から前方に向けて光を照射するので、大便器によって光が遮られることなく床面を照らすことができ、トイレ室の床面の視認性を向上させることができる。従って、トイレ室の清掃性や夜間使用時などにおける安全性を向上させることができる。
【０００９】
第２の発明は、第１の発明において、前記大便器は、底部から上方に向かって凹んだ凹部を有し、前記照明部の少なくとも一部は、前記大便器の下端よりも上方に位置することを特徴とする便器装置である。
【００１０】
この便器装置によれば、大便器の前端付近まで床面を照らしやすくし、床面に影ができることをより抑制することができる。従って、床面の視認性をより向上させ、清掃性や安全性をより向上させることができる。
【００１１】
第３の発明は、第２の発明において、前記照明部は、前記大便器の前記凹部から着脱できることを特徴とする便器装置である。
【００１２】
この便器装置によれば、大便器を取り外すなどの大掛かりな作業を必要とすることなく照明部を着脱することができ、照明部のメンテナンス性を向上させることができる。
【００１３】
第４の発明は、第１〜第３の発明のいずれか１つにおいて、前記照明部は、前記大便器の前後方向の中央よりも後方に設けられ、前記照明部の光軸は、前記大便器の前端と前記大便器の前後方向の中央との間において前記床面と交差することを特徴とする便器装置である。
【００１４】
この便器装置によれば、大便器の前端と大便器の前後方向の中央との間において光軸が床面と交差するように、照明部が前方斜め下方に向けて光を照射する。これにより、大便器の下の床面に影ができることを、より抑制し、床面の視認性をより向上させることができる。また、照明部が前方斜め下方に向けて光を照射することにより、正面から見た際に、照明部の光が目に直接入射してしまうことを抑制することができる。床面の視認性を向上させつつ、使用者や清掃者などに不快な眩しさを与えてしまうことを抑制することができる。従って、トイレ室の清掃性をより向上させることができる。
【００１５】
第５の発明は、第１〜第４の発明のいずれか１つにおいて、前記トイレ室に入室した人体を検知する第１検知部と、前記大便器に設けられた機能部と、をさらに備え、前記照明部は、前記第１検知部の検知結果に応じて点灯及び消灯を切り替え、前記機能部は、前記第１検知部又は前記第１検知部とは別の第２検知部による前記トイレ室に入室した人体の検知に応じて作動し、前記照明部が点灯及び消灯を切り替える距離は、前記機能部が作動する距離よりも長いことを特徴とする便器装置である。
【００１６】
この便器装置によれば、照明部が、第１検知部の検知結果に応じて点灯及び消灯を切り替えることにより、使用者が切り替えの操作などを行う必要がなく、便器装置の利便性をより向上させることができる。また、照明部が点灯及び消灯を切り替える距離を、機能部が作動する距離よりも長くすることにより、入室時に機能部が作動する前に照明部を点灯させることができ、安全性をより向上させることができる。
【００１７】
第６の発明は、第１〜第５の発明のいずれか１つにおいて、前記トイレ室に入室した人体を検知する検知部と、前記大便器の上に配置され使用者の着座を可能とする第１状態と、前記大便器から上方に退避し前記大便器の上端を露呈させる第２状態と、に回動可能な便座と、をさらに備え、前記照明部は、前記検知部の検知結果に応じて点灯及び消灯を切り替え、前記便座は、前記第１状態において前記大便器の一部を露呈させる開口部を有し、前記検知部は、前記第２状態にある前記便座の前記開口部と対向する位置に配置されたことを特徴とする便器装置である。
【００１８】
この便器装置によれば、照明部が、検知部の検知結果に応じて点灯及び消灯を切り替えることにより、使用者が切り替えの操作などを行う必要がなく、便器装置の利便性をより向上させることができる。また、第２状態にある便座の開口部と対向する位置に検知部を配置することにより、便座などが検知部の検知精度に影響を及ぼすことを抑制し、人体の検知精度を向上させることができる。
【発明の効果】
【００１９】
本発明の態様によれば、トイレ室の床面の視認性を向上させた便器装置が提供される。
【図面の簡単な説明】
【００２０】
【図１】実施形態に係る便器装置を表す斜視図である。
【図２】実施形態に係る便器装置を表す断面図である。
【図３】実施形態に係るキャビネットを表す正面図である。
【図４】実施形態に係る照明部を拡大して表す部分断面図である。
【図５】実施形態に係る照明部を表すブロック図である。
【図６】実施形態に係る便座ユニットの一部を表すブロック図である。
【図７】実施形態に係る便器装置の変形例を表す斜視図である。
【発明を実施するための形態】
【００２１】
以下、本発明の実施の形態について図面を参照しつつ説明する。なお、各図面中、同様の構成要素には同一の符号を付して詳細な説明は適宜省略する。
【００２２】
図１は、実施形態に係る便器装置を表す斜視図である。  
図２は、実施形態に係る便器装置を表す断面図である。  
図１及び図２に表したように、便器装置１０は、大便器１２と、キャビネット１４と、支持部材１６と、便座ユニット１８と、タンク２０と、を備える。便器装置１０は、トイレ室２に設置して使用される。
【００２３】
キャビネット１４は、トイレ室２の床面２ａの上に設けられるとともに、トイレ室２の１つの壁面２ｂに取り付けられる。キャビネット１４は、物品を収納可能な内部空間を有する略直方体の箱状である。キャビネット１４の横幅は、例えば、トイレ室２の壁面２ｂの幅と実質的に同じである。キャビネット１４は、前面パネル１４ｆを有する。前面パネル１４ｆは、トイレ室２の壁面２ｂと略平行に設置される。前面パネル１４ｆの前面は、略垂直面である。
【００２４】
大便器１２は、トイレ室２の床面２ａから浮いた状態でキャビネット１４の前面パネル１４ｆの前面に取り付けられる。これにより、便器装置１０では、使用者にスッキリとした印象を与え、高い意匠性を得ることができる。また、便器装置１０では、大便器１２を床面２ａから浮かせることにより、大便器が床面２ａの上に置かれている場合と比べて、床面２ａを清掃し易くすることができる。
【００２５】
大便器１２は、上部から下方に凹む凹状のボウル部１２ａを有する。使用者は、大便器１２の上に腰掛けた状態で、ボウル部１２ａに尿や便などを排泄する。大便器１２は、ボウル部１２ａにおいて使用者の尿や便などの排泄物を受ける。大便器１２は、換言すれば、洋式腰掛便器である。
【００２６】
ここで、本願明細書においては、キャビネット１４に背を向けて大便器１２に腰掛けた使用者からみた上方、下方、前方、後方、右側方、及び左側方を、それぞれ「上方」、「下方」、「前方」、「後方」、「右側方」、及び「左側方」とする。
【００２７】
ボウル部１２ａは、排水トラップ管路１２ｂに接続されている。排水トラップ管路１２ｂは、排水ソケットなどの配管に接続される。キャビネット１４の前面パネル１４ｆは、大便器１２と対向する位置に開口部１４ａを有する。排水トラップ管路１２ｂに接続された配管は、開口部１４ａを介してキャビネット１４内に挿通され、キャビネット１４内において排水管に接続される。大便器１２は、ボウル部１２ａに排泄された排泄物を、排水トラップ管路１２ｂや配管などを介して排水管に流す。また、ボウル部１２ａ及び排水トラップ管路１２ｂは、非使用時において所定量の水をボウル部１２ａ内に溜められるように形成されている。
【００２８】
大便器１２は、底部から上方に向かって凹んだ凹部１２ｃを有する。凹部１２ｃは、大便器１２の下方に開口するとともに、大便器１２の後方に開口する。凹部１２ｃは、前面パネル１４ｆの開口部１４ａと対向し、開口部１４ａを介してキャビネット１４の内部空間と連通する。
【００２９】
大便器１２には、防露部材１３が取り付けられている。防露部材１３は、凹部１２ｃ内に設けられ、凹部１２ｃ内において大便器１２の底面を覆う。大便器１２には、例えば、陶磁器が用いられる。防露部材１３には、例えば、発泡スチロールなどの断熱材が用いられる。防露部材１３は、凹部１２ｃ内での大便器１２の結露を抑制するとともに、大便器１２の底面で結露した水が、床面２ａに滴り落ちることを抑制する。
【００３０】
支持部材１６は、キャビネット１４内に設けられている。支持部材１６の一部は、キャビネット１４の前面パネル１４ｆに設けられた開口部１４ａに挿通され、開口部１４ａを介して大便器１２に接続される。これにより、支持部材１６は、床面２ａから浮いた状態で大便器１２を支持する。支持部材１６は、略矩形のフレーム状である。支持部材１６の形状は、大便器１２を支持可能な任意の形状でよい。例えば、キャビネット１４の前面パネル１４ｆで大便器１２を適切に支持できる場合には、前面パネル１４ｆを支持部材１６として用いてもよい。
【００３１】
便座ユニット１８は、大便器１２の上に設けられる。便座ユニット１８は、本体部３０と、便座３２と、便蓋３４と、を有する。本体部３０は、大便器１２のボウル部１２ａよりも後方の部分の上に設けられる。本体部３０は、便座３２及び便蓋３４を開閉可能に軸支する。
【００３２】
本体部３０は、例えば、便座３２に座った使用者の「おしり」などの身体局部を洗浄する身体洗浄機能や、便座３２の座面を温める暖房便座機能などを有する。便座ユニット１８は、換言すれば、衛生洗浄装置である。便座ユニット１８は、例えば、身体洗浄機能を有しない暖房便座装置などでもよい。
【００３３】
便座３２は、本体部３０に軸支され、図１に表した第１状態と、図２に表した第２状態と、に回動する。第１状態は、大便器１２の上に配置され、使用者の着座を可能とする状態である。第２状態は、大便器１２から上方に退避し、大便器１２の上端１２ｕを露呈させる状態である。
【００３４】
便座３２は、開口部３２ａを有する。開口部３２ａは、便座３２の中央部に設けられ、第１状態において大便器１２の一部を露呈させる。開口部３２ａは、第１状態において大便器１２のボウル部１２ａの少なくとも一部を露呈させる。この例において、便座３２は、Ｏ字型である。便座３２は、Ｕ字型でもよい。
【００３５】
便座３２は、例えば、大便器１２で軸支してもよい。便座ユニット１８は、必要に応じて設けられ、省略可能である。便器装置１０は、少なくとも便座３２を有していればよい。
【００３６】
タンク２０は、キャビネット１４内に設けられ、支持部材１６の上に載置された状態で、支持部材１６に支持される。タンク２０は、開口部１４ａに挿通された洗浄管２２を介して大便器１２に接続される。また、タンク２０は、給水管を介して水道管などの給水源に接続される。タンク２０は、給水源から供給された水を内部に貯水し、使用者の操作に応じて貯水した水を洗浄水として大便器１２に供給する。タンク２０は、大便器１２よりも上方に配置され、重力を利用して洗浄水を大便器１２に供給する。大便器１２は、タンク２０からの洗浄水の供給により、ボウル部１２ａの排泄物などを排水管に流す。大便器１２への給水は、タンク式に限ることなく、給水源から直接供給する直圧式としてもよい。タンク２０は、必要に応じて設けられ、省略可能である。
【００３７】
キャビネット１４は、支持部材１６及びタンク２０を内部の空間に収納する。キャビネット１４は、支持部材１６及びタンク２０を覆い隠す。キャビネット１４は、換言すれば、ケーシングあるいはライニングである。また、キャビネット１４は、例えば、トイレットペーパーや清掃用具などの物品を内部の空間に収納可能とする。これにより、便器装置１０の利便性をより向上させることができる。
【００３８】
この例において、キャビネット１４の高さは、トイレ室２の天井面までの高さよりも低い。キャビネット１４の高さは、例えば、トイレ室２の高さ（床面２ａから天井面までの高さ）と実質的に同じでもよい。便器装置１０において、キャビネット１４は、床面２ａから天井面まで連続する壁面パネルに置き換えてもよい。換言すれば、床面２ａから天井面まで連続する壁面パネルによって、大便器１２の設置される空間と、支持部材１６及びタンク２０の設置される空間と、を仕切ってもよい。大便器１２は、床面２ａから天井面まで連続する壁面パネルに取り付けてもよい。例えば、床面２ａから天井面まで連続する壁面パネルを支持部材１６として用いてもよい。
【００３９】
図３は、実施形態に係るキャビネットを表す正面図である。  
図３では、便器装置１０において大便器１２や便座ユニット１８などを便宜的に省略した状態を表している。  
図２及び図３に表したように、便器装置１０は、照明部２４と、検知部２６（第１検知部）と、をさらに備える。
【００４０】
照明部２４は、大便器１２の上端１２ｕよりも下方、かつ大便器１２の前端１２ｆよりも後方において大便器１２の左右幅内に設けられる。照明部２４は、大便器１２よりも側方に突出しない。照明部２４は、大便器１２と床面２ａとの間の空間から前方に向けて光を照射し、床面２ａを照らす。これにより、照明部２４は、大便器１２の下方に影ができることを抑制する。従って、トイレ室２の床面２ａの視認性を向上させ、トイレ室２の清掃性や夜間使用時などにおける安全性を向上させることができる。
【００４１】
検知部２６は、トイレ室２に入室した人体を検知する。検知部２６は、例えば、トイレ室２に入室した人体を電磁波を用いて検知する。照明部２４は、検知部２６の検知結果に応じて点灯及び消灯を切り替える。照明部２４は、例えば、検知部２６の検知結果が非検知の状態から検知の状態に切り替わったことに応答して点灯し、検知部２６の検知結果が検知の状態から非検知の状態に切り替わったことに応答して消灯する。これにより、便器装置１０の利便性をより向上させることができる。例えば、照明部２４の消し忘れにともなう無駄な電力の消費を抑制することができる。
【００４２】
検知部２６は、第２状態にある便座３２の開口部３２ａと対向する位置に配置される。検知部２６は、例えば、前面パネル１４ｆの裏面において、第２状態にある便座３２の開口部３２ａと対向する位置に配置される。
【００４３】
検知部２６には、例えば、マイクロ波（電磁波）を送信し、使用者などの物体で反射した反射波を受信し、送信波と受信波との位相差や周波数差を計測することにより、物体との距離や物体の移動速度などを検知するマイクロ波センサが用いられる。例えば、前面パネル１４ｆに木材や樹脂材料を用い、検知部２６にマイクロ波センサを用いた場合、検知部２６を前面パネル１４ｆの裏面に設けた場合にも、電磁波を透過させるための透過窓などを前面パネル１４ｆに設ける必要がない。従って、便器装置１０の意匠性を向上させることができる。
【００４４】
検知部２６は、マイクロ波センサに限ることなく、例えば、赤外線測距センサや焦電センサなどでもよい。検知部２６は、トイレ室２に入室した人体を検知可能な任意のセンサでよい。また、検知部２６の位置は、上記に限ることなく、トイレ室２に入室した人体を検知可能な任意の位置でよい。検知部２６は、例えば、大便器１２やキャビネット１４などと別体に設けてもよい。
【００４５】
図４は、実施形態に係る照明部を拡大して表す部分断面図である。  
図４に表したように、照明部２４は、基板４０と、光源４２と、ケース４４と、光拡散板４６と、を有する。
【００４６】
光源４２は、基板４０に実装されている。光源４２には、例えば、ＬＥＤ（Light Emitting Diode）などの発光素子が用いられる。光源４２は、例えば、複数設けられる。各光源４２は、基板４０の表面に並べて配置される。光源４２は、発光素子に限ることなく、電球や蛍光灯などでもよい。光源４２の数は、複数に限ることなく、１つでもよい。
【００４７】
ケース４４は、前方を開口させた開口箱状であり、内部の空間に基板４０及び各光源４２を収容する。換言すれば、ケース４４は、各光源４２の側方及び後方を覆う。ケース４４には、例えば、アルミニウムなどの金属材料が用いられる。ケース４４は、各光源４２の照射する光に対して光反射性を有する。これにより、各光源４２から照射された光が、意図しない方向に漏れることを抑制することができる。また、各光源４２から照射された光を適切に前方に照射し、各光源４２の光の利用効率を高めることができる。
【００４８】
光拡散板４６は、ケース４４の前方の開口を塞ぐ。光拡散板４６は、各光源４２の照射する光に対して光透過性と光拡散性とを有する。光拡散板４６には、例えば、乳白色の樹脂材料が用いられる。光拡散板４６は、例えば、各光源４２の視認を抑制するとともに、各光源４２のそれぞれから照射された光が、粒状に観察されてしまうことを抑制する。これにより、例えば、床面２ａをより均一に照らすことができる。
【００４９】
支持部材１６は、照明部２４を支持する照明支持部１６ａを有する。照明部２４の少なくとも一部は、開口部１４ａを介してキャビネット１４内に収容され、支持部材１６の照明支持部１６ａに取り付けられる。照明部２４は、照明支持部１６ａに取り付けられた状態で、開口部１４ａ及び大便器１２の凹部１２ｃを介して、大便器１２と床面２ａとの間の空間から前方に向けて光を照射する。
【００５０】
照明支持部１６ａには、マグネット１６ｂが設けられている。照明部２４のケース４４の後端面には、マグネット１６ｂに対応する位置に鉄板などの磁性体が設けられている。照明支持部１６ａは、マグネット１６ｂをケース４４の磁性体に吸着させることにより、照明部２４を着脱可能に支持する。照明支持部１６ａは、工具などを必要とすることなく、手動の操作のみで照明部２４を着脱可能に支持する。照明部２４は、照明支持部１６ａに対して、大便器１２の凹部１２ｃから着脱することができる。
【００５１】
図３及び図４に表したように、大便器１２を前面パネル１４ｆに取り付けた状態において、前方から見た大便器１２の外形形状は、前面パネル１４ｆの開口部１４ａの外形形状よりも大きい。大便器１２を前面パネル１４ｆに取り付けた状態において、大便器１２は、前後方向において開口部１４ａを覆う。これにより、開口部１４ａ及びキャビネット１４の内部空間が、外側から見えてしまうことを抑制することができる。これにより、便器装置１０の意匠性の低下を抑制することができる。
【００５２】
上述のように、照明部２４は、キャビネット１４内において支持部材１６の照明支持部１６ａに取り付けられる。開口部１４ａの下端は、大便器１２の下端１２ｔよりも上方に位置し、照明部２４の照明支持部１６ａへの取付箇所は、この開口部１４ａの下端よりも上方に位置する。すなわち、照明部２４の少なくとも一部は、大便器１２の下端１２ｔよりも上方に位置する。この例では、照明部２４の全体が、大便器１２の下端１２ｔよりも上方に位置する。これにより、前方から見た際などにも、照明部２４の視認を抑制することができる。
【００５３】
例えば、ケース４４の前端の下部など、照明部２４の一部は、大便器１２の下端１２ｔよりも下方に位置してもよい。照明部２４は、例えば、大便器１２の正面に立った使用者から見て、視認できないように配置することが好ましい。換言すれば、照明部２４は、大便器１２の正面に立った使用者から見て、大便器１２に隠れる位置に配置することが好ましい。
【００５４】
また、照明部２４は、大便器１２の前後方向の中央ＭＰ（図２参照）よりも後方に設けられている。この例において、照明部２４の一部は、大便器１２よりも後方に設けられている。例えば、各光源４２は、大便器１２よりも後方に設けられている。これにより、大便器１２の下方の床面２ａの全体を照らし易くすることができる。大便器１２の下方に影ができることを、より適切に抑制することができる。
【００５５】
照明部２４の光軸ＯＡは、大便器１２の前端１２ｆと大便器１２の前後方向の中央ＭＰとの間の領域Ｒ１において、床面２ａと交差する。照明部２４の光軸ＯＡは、例えば、大便器１２の下端面の前端の直下において、床面２ａと交差する。照明部２４は、大便器１２の下端１２ｔよりも上方に設けられ、大便器１２の凹部１２ｃを介して斜め下方に向けて光を照射する。
【００５６】
照明部２４の取付位置や光軸ＯＡの向きは、上記に限定されるものではない。例えば、大便器１２の下端１２ｔよりも下方に照明部２４を取り付け、略水平に光を照射してもよい。照明部２４は、例えば、前面パネル１４ｆや大便器１２などに取り付けてもよい。換言すれば、照明部２４を支持する照明支持部１６ａは、前面パネル１４ｆや大便器１２などに設けてもよい。また、照明部２４は、マグネット１６ｂに限ることなく、フックやマジックテープ（登録商標）などで照明支持部１６ａに着脱可能に取り付けてもよい。照明部２４を取り付ける構成は、工具などを用いることなく、手動の操作で簡単に着脱することができる任意の構成でよい。
【００５７】
図５は、実施形態に係る照明部を表すブロック図である。  
図５に表したように、照明部２４は、制御回路４８をさらに有する。制御回路４８は、基板４０に設けられている。制御回路４８は、各光源４２、検知部２６、及び電源４と電気的に接続されている。電源４は、基板４０に電力を供給する。電源４は、商用電源などの外部電源でもよいし、電池などの内部電源でもよい。検知部２６は、トイレ室２に入室した人体の検知結果を制御回路４８に入力する。
【００５８】
制御回路４８は、例えば、検知部２６の検知結果が非検知の状態から検知の状態に切り替わったことに応答して、電源４の電力を各光源４２に供給することにより、各光源４２を点灯させる。そして、制御回路４８は、検知部２６の検知結果が検知の状態から非検知の状態に切り替わったことに応答して、各光源４２への電力の供給を停止させることにより、各光源４２を消灯させる。
【００５９】
図６は、実施形態に係る便座ユニットの一部を表すブロック図である。  
図６に表したように、便座３２は、加熱部５０と、温度検知センサ５２と、を内蔵する。加熱部５０は、便座３２の内部に設けられる。加熱部５０は、通電に応じて発熱することにより、便座３２の着座面（使用者のおしりが接する面）を内側から加熱する。加熱部５０は、いわゆるヒータである。加熱部５０には、例えば、抵抗加熱手段や、電磁誘導によって加熱を行う誘導加熱手段などが用いられる。
【００６０】
加熱部５０は、金属材料を含む。従って、上述のように、検知部２６は、第２状態にある便座３２の開口部３２ａと対向する位置に配置する。これにより、検知部２６の電磁波が、便座３２の加熱部５０の金属部分で遮られることを抑制し、検知部２６の検知精度を向上させることができる。
【００６１】
温度検知センサ５２は、例えば、便座３２の着座面の温度を検知する。着座面の温度は、温度検知センサ５２によって直接的に検知してもよいし、温度検知センサ５２の出力を基に計算によって求めてもよい。
【００６２】
本体部３０は、機能部６０を有する。機能部６０は、例えば、制御部６２と、着座検知センサ６４と、人体検知センサ６６（第２検知部）と、を有する。機能部６０は、例えば、本体部３０のケースカバーの内部空間に収容される。
【００６３】
着座検知センサ６４は、使用者が便座３２に着座する直前において便座３２の上方に存在する人体や、便座３２に着座した使用者を検知することができる。着座検知センサ６４は、便座３２に着座した使用者だけではなく、便座３２の上方に存在する使用者を検知してもよい。このような着座検知センサ６４としては、例えば、赤外線投受光式の測距センサを用いることができる。着座検知センサ６４は、使用者が着座した際の荷重によってＯＮ／ＯＦＦが行われるスイッチであってもよい。着座検知センサ６４は、使用者の着座の検知に応答して、着座の検知を表す信号を制御部６２に出力する。
【００６４】
人体検知センサ６６は、トイレ室２に入室した人体を検知する。人体検知センサ６６は、例えば、トイレ室２に入室した人体を電磁波を用いて検知する。このように、人体検知センサ６６は、トイレ室２に入室した人体を検知する検知機能を有する。人体検知センサ６６には、例えば、マイクロ波センサ、赤外線測距センサ、又は焦電センサなどが用いられる。人体検知センサ６６は、トイレ室２に入室した人体を検知可能な任意のセンサでよい。人体検知センサ６６は、人体の検知に応答して、人体の検知を表す信号を制御部６２に出力する。
【００６５】
検知部２６が人体を検知可能な距離は、機能部６０の人体検知センサ６６が人体を検知可能な距離よりも長い。検知部２６は、例えば、前方からトイレ室２に入室した人体を即座に検知する。検知部２６の検知可能な距離は、例えば、１６００ｍｍである。人体検知センサ６６は、例えば、トイレ室２に入室して大便器１２の前方に立った人体を検知する。人体検知センサ６６の検知可能な距離は、例えば、５００ｍｍである。
【００６６】
制御部６２は、着座検知センサ６４及び人体検知センサ６６と接続されるとともに、便座３２の加熱部５０及び温度検知センサ５２と接続されている。制御部６２は、温度検知センサ５２からの検知信号に基づいて加熱部５０への通電量を制御する。
【００６７】
制御部６２は、例えば、非使用時には加熱部５０への通電を停止または通電量を小さくして便座３２の着座面を低めの温度に設定し、使用時には加熱部５０への通電量を大きくして便座３２の着座面を急速加熱することにより、着座面を適温に昇温させる即暖運転モードを実行する。
【００６８】
制御部６２は、加熱部５０への通電量を抑えた待機状態において、人体検知センサ６６の検知結果を基に、使用者の検知を行う。制御部６２は、人体検知センサ６６によって使用者を検知すると、加熱部５０への通電量を大きくし、予め設定された設定温度に便座３２の着座面の温度を加熱する。
【００６９】
このように、機能部６０は、人体検知センサ６６によるトイレ室２に入室した人体の検知に応じて作動する。また、前述のように、検知部２６が人体を検知可能な距離は、機能部６０の人体検知センサ６６が人体を検知可能な距離よりも長い。従って、照明部２４が点灯及び消灯を切り替える距離は、機能部６０が作動する距離よりも長い。この例では、機能部６０が便座３２の着座面の加熱を行うよりも前に、照明部２４が点灯する。
【００７０】
制御部６２においては、人体検知センサ６６による使用者の検知から使用者が便座３２に着座するまでの時間が、統計によって予め求められている。制御部６２は、この時間よりも短い時間で設定温度までの加熱を完了させる。これにより、着座面の温度が低い状態のまま使用者が便座３２に着座してしまうことを抑制することができる。待機状態の温度から設定温度への急速な加熱を使用者に体感させてしまうことを抑制することができる。
【００７１】
制御部６２は、例えば、温度検知センサ５２の検知結果を基に、着座面の温度が設定温度まで上昇したか否かを判定する。制御部６２は、設定温度まで上昇したことを確認すると、着座面の温度が設定温度に実質的に一定となるように、加熱部５０への通電量を制御する。すなわち、制御部６２は、着座面の温度を設定温度まで上昇させた後、着座面の温度を設定温度に保温する制御を行う。これにより、快適な温度の便座３２を使用者に提供することができる。
【００７２】
また、制御部６２は、例えば、着座検知センサ６４の検知結果を基に、使用者が便座３２から離れたこと検知し、この検知に応答して、着座面の温度を設定温度から待機状態の温度に下げる。
【００７３】
制御部６２は、即暖運転モードに限ることなく、例えば、着座面の温度を常に設定温度に保温する保温運転モードを行ってもよい。制御部６２は、例えば、即暖運転モードや保温運転モードなどの複数の運転モードを切り替えられるようにしてもよい。
【００７４】
このように、機能部６０は、例えば、便座３２の着座面を暖房する暖房便座機能を有する。機能部６０は、例えば、便座３２に座った使用者の「おしり」などに向けて水（お湯や冷水）を噴出し、使用者の「おしり」などを洗浄する衛生洗浄機能を有してもよい。さらには、便座３２に座った使用者の「おしり」などに向けて温風を吹き付けて乾燥させる「温風乾燥機能」や「脱臭機能」や「室内暖房機能」などの各種の機能をさらに有してもよい。機能部６０の機能は、上記に限ることなく、便座ユニット１８において用いられる任意の機能でよい。
【００７５】
機能部６０の人体検知機能は、便座３２の暖房に限ることなく、他の用途に用いてもよい。例えば、便蓋３４を開閉する便蓋開閉機構を設け、人体の検知結果に応じて便蓋３４を自動的に開閉させてもよい。機能部６０は、人体検知センサ６６によるトイレ室２に入室した人体の検知に応じて作動する任意の機能を、少なくとも有していればよい。
【００７６】
以上、説明したように、本実施形態に係る便器装置１０によれば、照明部２４が、大便器１２と床面２ａとの間の空間から前方に向けて光を照射するので、大便器１２によって光が遮られることなく床面２ａを照らすことができ、トイレ室２の床面２ａの視認性を向上させることができる。従って、トイレ室２の清掃性や夜間使用時などにおける安全性を向上させることができる。また、床面２ａから浮いた状態で支持される大便器１２の下に影ができることを抑制し、大便器１２の浮遊感を向上させることもできる。これにより、便器装置１０及びトイレ室２の意匠性を向上させることができる。
【００７７】
また、便器装置１０では、大便器１２が、底部から上方に向かって凹んだ凹部１２ｃを有し、照明部２４の少なくとも一部が、大便器１２の下端１２ｔよりも上方に位置する。これにより、大便器１２の前端１２ｆ付近まで床面２ａを照らしやすくし、床面２ａに影ができることをより抑制することができる。従って、床面２ａの視認性をより向上させ、清掃性や安全性をより向上させることができる。また、正面から見た際の照明部２４の視認を抑制し、便器装置１０及びトイレ室２の意匠性をより向上させることができる。さらには、モップなどの清掃用具を用いて大便器１２の下の床面２ａを清掃する際に、清掃用具が照明部２４に当たり、照明部２４が破損してしまうことを抑制することができる。
【００７８】
また、凹部１２ｃを設けることにより、凹部１２ｃによって照明部２４から照射された光を乱反射させ、大便器１２の周囲の床面２ａを明るくしやすくすることができる。また、凹部１２ｃ内に防露部材１３を設け、防露部材１３の表面の色を白色に近い色とすることにより、照明部２４から照射された光をより乱反射させやすくすることができる。また、照明部２４を設けることにより、例えば、凹部１２ｃ内における大便器１２の結露の状態や防露部材１３の状態などを確認しやすくすることができ、便器装置１０のメンテナンス性を向上させることもできる。
【００７９】
また、便器装置１０では、照明部２４が、大便器１２の凹部１２ｃから着脱することができる。これにより、大便器１２を取り外すなどの大掛かりな作業を必要とすることなく照明部２４を着脱することができ、照明部２４のメンテナンス性を向上させることができる。
【００８０】
また、便器装置１０では、照明部２４の光軸ＯＡが、大便器１２の前端１２ｆと大便器１２の前後方向の中央ＭＰとの間の領域Ｒ１において床面２ａと交差する。これにより、大便器１２の下の床面２ａに影ができることを、より抑制し、床面２ａの視認性をより向上させることができる。また、照明部２４が前方斜め下方に向けて光を照射することにより、正面から見た際に、照明部２４の光が目に直接入射してしまうことを抑制することができる。床面２ａの視認性を向上させつつ、使用者や清掃者などに不快な眩しさを与えてしまうことを抑制することができる。従って、トイレ室２の清掃性をより向上させることができる。
【００８１】
また、便器装置１０では、検知部２６が、第２状態にある便座３２の開口部３２ａと対向する位置に配置される。これにより、便座３２及び加熱部５０によって電磁波が遮られてしまうことを抑制し、人体の検知精度を向上させることができる。また、照明部２４が、検知部２６の検知結果に応じて点灯及び消灯を切り替えることにより、使用者が切り替えの操作などを行う必要がなく、便器装置１０の利便性をより向上させることができる。
【００８２】
また、便器装置１０では、照明部２４が点灯及び消灯を切り替える距離を、機能部６０が作動する距離よりも長くすることにより、入室時に機能部６０が作動する前に照明部２４を点灯させることができ、安全性をより向上させることができる。また、機能部６０の検知機能とは別に検知部２６を設けることにより、機能部６０の動作と無関係に照明部２４の点灯及び消灯を切り替えることができる。
【００８３】
上記実施形態では、検知部２６とは別に人体検知センサ６６を設け、人体検知センサ６６の検知結果に応じて機能部６０を作動させている。これに限ることなく、例えば、検知部２６の検知結果に応じて機能部６０を作動させてもよい。これとは反対に、便座ユニット１８に設けられた人体検知センサ６６の検知結果に応じて、照明部２４の点灯及び消灯を切り替えてもよい。このように、１つの検知部によって照明部２４の動作と機能部６０の動作とを制御してもよい。
【００８４】
例えば、１つの検知部の検知信号の閾値を変化させることなどにより、１つの検知部の検知結果を基に、照明部２４が点灯及び消灯を切り替える距離を、機能部６０が作動する距離よりも長くしてもよい。例えば、使用者の入室時において、１つの検知部の検知結果が第１距離になった時に、照明部２４を点灯させ、第１距離よりも短い第２距離になった時に、機能部６０を作動させてもよい。
【００８５】
図７は、実施形態に係る便器装置の変形例を表す斜視図である。  
この例において、上記実施形態と機能・構成上実質的に同じものについては、同符号を付し、詳細な説明は、省略する。  
図７に表したように、便器装置１００では、大便器１１２が、底部から上方に向かって凹んだ凹部（凹部１２ｃ）を有していない。大便器１１２は、左右方向の中央に下端１１２ｔを有する。このように、大便器１１２は、必ずしも凹部を有しなくてもよい。
【００８６】
便器装置１００において、照明部１２４は、大便器１１２よりも下方に設けられる。大便器１１２が凹部を有さず、照明部１２４を大便器１１２の下方に設ける場合、図７に表したように、照明部１２４は、キャビネット１４に埋め込むように設けることが好ましい。すなわち、照明部１２４の前面が、キャビネット１４の前面パネル１４ｆの前面と略面一になるようにする。これにより、例えば、清掃用具の接触にともなう照明部１２４の破損などを抑制することができる。
【００８７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便器装置１０、１００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８８】
２ トイレ室、  ４ 電源、  １０、１００ 便器装置、  １２、１１２ 大便器、  １３ 防露部材、  １４ キャビネット、  １６ 支持部材、  １８ 便座ユニット、  ２０ タンク、  ２２ 洗浄管、  ２４、１２４ 照明部、  ２６ 検知部、  ３０ 本体部、  ３２ 便座、  ３４ 便蓋、  ４０ 基板、  ４２ 光源、  ４４ ケース、  ４６ 光拡散板、  ４８ 制御回路、  ５０ 加熱部、  ５２ 温度検知センサ、  ６０ 機能部、  ６２ 制御部、  ６４ 着座検知センサ、  ６６ 人体検知センサ
【図１】
2018079056.tif 000003
【図２】
2018079056.tif 000004
【図３】
2018079056.tif 000005
【図４】
2018079056.tif 000006
【図５】
2018079056.tif 000007
【図６】
2018079056.tif 000008
【図７】
2018079056.tif 000009